【手続補正書】
【提出日】平成18年2月3日(2006.2.3)
【手続補正１】
【補正対象書類名】明細書
【補正対象項目名】特許請求の範囲
【補正方法】変更
【補正の内容】
【特許請求の範囲】
【請求項１】  訓練されるべき語または句の信号を受け、前記各語または句のデジタル化されたサンプルを発生し、かつ前記デジタル化されたサンプルをスピーチデータベースに記憶する訓練ユニットと、
認識されるべきノイズ悪化入力信号を受け、前記スピーチデータベースの前記デジタル化されたサンプルに、前記入力信号を受けることにとるノイズの影響を適用することによりノイズ補償されたテンプレートデータベースを発生し、かつ前記ノイズ補償されたテンプレートデータベースに基づいて前記ノイズ悪化入力信号のスピーチ認識結果を提供するスピーチ認識ユニットとを含み、
前記スピーチ認識ユニットが、
前記ノイズ悪化入力信号を受け、前記入力信号にスピーチが存在するか否かを決定し、前記入力信号にスピーチが存在しないと決定されたとき前記入力信号がノイズ信号と指定されるスピーチ検出ユニットと、
スピーチが前記入力信号に存在しないことの決定により活動的にされるノイズユニットとを含み、前記ノイズユニットは前記ノイズ信号を分析し、前記ノイズ信号の特徴を有する合成されたノイズ信号に合成し、前記合成されたノイズ信号は前記スピーチデータベースの前記デジタル化されたサンプルにノイズの影響を適用するスピーチ認識システム。
【請求項２】  前記スピーチ決定ユニットが前記入力信号のスピーチ活性化のレベルを分析することによりスピーチの存在を決定する請求項１のスピーチ認識システム。
【請求項３】  前記ノイズユニットが線形予測コーディング（LPC）技術を使用して分析し、前記合成されたノイズ信号に合成する請求項１のスピーチ認識システム。
【請求項４】  前記合成されたノイズ信号が認識されるべき前記入力信号の前に適切に記憶された前記ノイズ信号のウインドウに対応する請求項１のスピーチ認識システム。
【請求項５】  前記合成されたノイズ信号が時間の予定の期間に記憶された前記ノイズ信号の種々のウインドウの平均に対応する請求項１のスピーチ認識システム。
【請求項６】  前記スピーチ認識ユニットが、
前記ノイズ悪化入力信号を受け、予め決定されたパラメタ決定技術に従って前記入力信号を表わすパラメタのテンプレートを発生する第1のパラメタ決定ユニットと、
前記デジタル化されたサンプルに適用されたノイズの影響とともに前記スピーチデータベースを受け、前記予め決定されたパラメタ決定技術に従って前記ノイズ補償されたテンプレートデータベースを発生する第2のパラメタ決定ユニットと、
最良の相手を決定するため前記入力信号を表わすパラメタの前記テンプレートを前記ノイズ補償されたテンプレートデータベースのテンプレートと比較し、それにより前記スピーチ認識結果を確認するパターン比較ユニットとをさらに含む請求項１のスピーチ認識システム。
【請求項７】  前記パラメタ決定技術が線形予測コーディング（LPC）分析技術である請求項６のスピーチ認識システム。
【請求項８】  前記スピーチ決定ユニットが前記入力信号のスピーチ活性化のレベルを分析することによりスピーチの存在を決定する請求項６のスピーチ認識システム。
【請求項９】  前記ノイズユニットが線形予測コーディング（LPC）技術を使用して分析し、前記合成されたノイズ信号に合成する請求項６のスピーチ認識システム。
【請求項１０】  前記合成されたノイズ信号が認識されるべき前記入力信号の前に適切に記憶された前記ノイズ信号のウインドウに対応する請求項６のスピーチ認識システム。
【請求項１１】  前記合成されたノイズ信号が時間の予定の期間に記憶された前記ノイズ信号の種々のウインドウの平均に対応する請求項６のスピーチ認識システム。
【請求項１２】  入力信号を認識する話者依存のスピーチ認識システムのスピーチ認識ユニットであって、前記スピーチ認識ユニットはノイズ環境の影響を計算に入れており、
スピーチデータベースにおける訓練語彙の語または句のデジタル化されたサンプルを記憶する手段と、
前記訓練語彙のノイズ悪化されたデジタルサンプルを発生するために、前記訓練語彙のデジタル化されたサンプルに前記入力信号と関連したノイズの影響を適用する手段と、
前記ノイズ悪化されたデジタルサンプルに基づいてノイズ補償されたテンプレートデータベースを発生する手段と、
前記ノイズ補償されたテンプレートデータベースに基づいて前記入力信号のスピーチ認識結果を決定する手段とを含み、
前記ノイズの影響を適用する手段が、
前記入力信号にスピーチが存在するか否かを決定し、前記入力信号にスピーチが存在しないと決定されたとき前記入力信号がノイズ信号と指定される手段と、
前記ノイズ信号を分析し、合成されたノイズ信号に合成し、前記合成されたノイズ信号は前記語彙の前記デジタル化されたサンプルに加算される手段とを含むスピーチ認識ユニット。
【請求項１３】  前記入力信号を受け、予め決定されたパラメタ決定技術に従って前記入力信号を表わすパラメタのテンプレートを発生する第1のパラメタ決定手段と、
前記語彙の前記ノイズ悪化されたデジタルサンプルを受け、前記予め決定されたパラメタ決定技術に従って前記ノイズ補償されたテンプレートデータベースのテンプレートを発生する第2のパラメタ決定手段とをさらに含み、
前記スピーチ認識結果を決定する手段が、最良の相手を決定するため前記入力信号を表わすパラメタの前記テンプレートを前記ノイズ補償されたテンプレートデータベースのテンプレートと比較し、それにより前記スピーチ認識結果を確認する請求項１２のスピーチ認識ユニット。
【請求項１４】  ノイズ環境の影響を計算に入れたスピーチ認識方法であって、
語彙に属している、訓練された各語または句のデジタル化されたサンプルを発生し、
前記デジタル化されたサンプルをスピーチデータベースに記憶し、
認識されるべきノイズ悪化された入力信号を受け、
前記語彙のノイズ悪化されたデジタルサンプルを発生するため、前記語彙の前記デジタル化されたサンプルに前記入力信号と関連したノイズの影響を適用し、前記適用は前記入力信号を受けることにより行われ、
前記ノイズ悪化されたデジタルサンプルに基づいてノイズ補償されたテンプレートデータベースを発生し、
前記ノイズ補償されたテンプレートデータベースに基づいて前記ノイズ悪化入力信号のスピーチ認識結果を提供するステップを含み、
ノイズの影響を適用する前記ステップが、
前記入力信号にスピーチが存在するか否かを決定し、前記入力信号にスピーチが存在しないと決定されたとき前記入力信号がノイズ信号と指定され、
前記ノイズ信号を分析し、合成されたノイズ信号に合成し、前記合成されたノイズ信号は前記ノイズ悪化されたデジタルサンプルを発生するため前記語彙の前記デジタル化されたサンプルに加算されるステップを含むスピーチ認識方法。
【請求項１５】  予定のパラメタ決定技術に従って前記入力信号を表わすパラメタのテンプレートを発生し、
前記予定のパラメタ決定技術に従って前記ノイズ補償されたテンプレートデータベースのためのテンプレートを発生するステップをさらに含み、
前記スピーチ認識結果を提供するステップが最良の相手を決定するため前記入力信号を表わすパラメタの前記テンプレートを前記ノイズ補償されたテンプレートデータベースのテンプレートと比較し、それにより前記スピーチ認識結果を確認する請求項１４のスピーチ認識方法。